(57)【要約】【課題】  外れ止め部品の調整が容易で、地震の際などに障子の浮き上がりを確実に防止できる建具の提供。【解決手段】  枠１と、上下枠４，８に沿って摺動する障子２ａ，２ｂと、外れ止め部品３ａ，３ｂとを備え、外れ止め部品３ａ，３ｂは、上枠４下面に取付けてあり、ベース６と高さ調整部７を有し、高さ調整部７は、操作具を用いることなく垂直軸回りに回転させることができるものであり、回転させることで上下に移動し、その位置で位置決めできる。【選択図】      図１
2019157338.tif 000002
【特許請求の範囲】
【請求項１】
枠と、上下枠に沿って摺動する障子と、外れ止め部品とを備え、外れ止め部品は、上枠下面に取付けてあり、ベースと高さ調整部を有し、高さ調整部は、操作具を用いることなく垂直軸回りに回転させることができるものであり、回転させることで上下に移動し、その位置で位置決めできることを特徴とする建具。
【発明の詳細な説明】
【技術分野】
【０００１】
本発明は、上下枠に沿って摺動する障子を備える建具に関する。
【背景技術】
【０００２】
従来の引違い窓は、外障子の召合せ框の上端部に外れ止めが高さ調整可能に設けてあり、外れ止めを上枠のレールの下端に当接ないし近接させることで、外障子の浮き上がりを防止している（例えば、特許文献１参照。）。外れ止めは、外召合せ框に形成した長孔に挿通したネジを締め付けることで框に固定される。かかる従来の建具は、障子を枠に建て込んだ後、外れ止めを上に持ち上げつつネジを締め付けなければならず、外れ止めの高さ調整が容易ではなかった。また、ネジが緩んで外れ止めが効かなくなるおそれもある。
【先行技術文献】
【特許文献】
【０００３】
【特許文献１】特許第４３２１４６５号公報
【発明の概要】
【発明が解決しようとする課題】
【０００４】
本発明は以上に述べた実情に鑑み、外れ止め部品の調整が容易で、地震の際などに障子の浮き上がりを確実に防止できる建具の提供を目的とする。
【課題を解決するための手段】
【０００５】
上記の課題を達成するために請求項１記載の発明による建具は、枠と、上下枠に沿って摺動する障子と、外れ止め部品とを備え、外れ止め部品は、上枠下面に取付けてあり、ベースと高さ調整部を有し、高さ調整部は、操作具を用いることなく垂直軸回りに回転させることができるものであり、回転させることで上下に移動し、その位置で位置決めできることを特徴とする。
【発明の効果】
【０００６】
請求項１記載の発明による建具は、外れ止め部品が上枠下面に取付けてあって、ベースと高さ調整部を有し、高さ調整部は、操作具を用いることなく垂直軸回りに回転させることができるものであり、回転させることで上下に移動し、その位置で位置決めできるので、外れ止め部品の調整が容易に行え、高さ調整部を障子に当接ないし近接させることで、障子の浮き上がりを確実に防止できる。
【図面の簡単な説明】
【０００７】
【図１】図３の上枠側を拡大して示す縦断面図である。
【図２】本発明の建具の一実施形態を示す室内側正面図である。
【図３】同建具の縦断面図である。
【図４】上枠の外れ止め部品が取付いている部分を下から見た図である。
【図５】上枠の外れ止め部品が取付いている部分を下から見た図であって、内障子を全開位置までスライドした状態を示している。
【図６】上枠の外れ止め部品が取付いている部分を下から見た図であって、外障子を全開位置までスライドした状態を示している。
【図７】外れ止め部品の斜視図であって、（ａ）は高さ調整部を最も上げた状態、（ｂ）は高さ調整部を最も下げた状態を示す。
【図８】外れ止め部品の正面図と底面図であって、（ａ）は高さ調整部を最も上げた状態、（ｂ）は高さ調整部を一段下げた状態、（ｃ）は高さ調整部をもう一段下げた状態、（ｄ）は高さ調整部を最も下げた状態を示す。
【図９】外れ止め部品の分解斜視図である。
【図１０】（ａ）はベースの正面図、（ｂ）はベースの底面図、（ｃ）はベースの側面図、（ｄ）はＡ−Ａ断面図、（ｅ）はＢ−Ｂ断面図である。
【図１１】（ａ）は高さ調整部の平面図、（ｂ）は高さ調整部の側面図、（ｃ）は高さ調整部の正面図、（ｄ）は高さ調整部の底面図、（ｅ）はＣ−Ｃ断面図である。
【図１２−１】外れ止め部品の上枠への取付け手順を順に示す斜視図である。
【図１２−２】外れ止め部品の上枠への取付け手順（図１２−１の続き）を順に示す斜視図である。
【発明を実施するための形態】
【０００８】
以下、本発明の実施の形態を図面に基づいて説明する。図１〜６は、本発明の建具の一実施形態を示している。本実施形態の建具は、住宅用の引違い窓（テラス窓）に適用したものであって、躯体開口部に取付けられる枠１と、枠１内に引違い状に開閉自在に設けた外障子２ａ及び内障子２ｂと、外障子２ａよりも室外側に上下枠４，８に沿って摺動可能に設けた網戸９を備えている。
枠１は、図２，３に示すように、上枠４と下枠８と左右の縦枠１０，１０を四周枠組みして構成してある。外障子２ａと内障子２ｂは、上框１１と下框１２と戸先框１３と召合せ框１４とを四周框組みし、その内側に複層ガラス１５を嵌め込んで構成してある。内外障子２ａ，２ｂを閉鎖した状態では、内障子２ｂは室内側から見て右側に位置し、外障子２ａは室内側から見て左側に位置している。外障子２ａと内障子２ｂは、召合せ框１４に設けたクレセント１６で施錠される。
【０００９】
上枠４は、図１に示すように、室外側端部に網戸９の上部を案内する網戸レール５ａ（垂下片）を有し、網戸レール５ａの室内側に外障子２ａの上部を案内する外レール５ｂ（垂下片）を有し、外レール５ｂの室内側に内障子２ｂの上部を案内する内レール５ｃ（垂下片）を有している。上枠４の内レール５ｃの室内側には樹脂製のカバー材１７が取付けてあり、カバー材１７に額縁等の造作材に固定するためのアングル部１８が一体に設けてある。外レール５ｂと内レール５ｃの付け根部には、溝１９，１９が対向して設けてあり、この溝１９，１９に係合させて内外障子２ａ，２ｂの召合せ框１４，１４の上方位置に風止め板２０（図２，４参照）が取付けてある。
【００１０】
さらに本建具は、図１，２，４に示すように、上枠４の外レール５ｂと内レール５ｃとの間の外障子２ａの上方位置と内障子２ｂの上方位置とに外れ止め部品３ａ，３ｂがそれぞれ設けてあり、外れ止め部品３ａ，３ｂにより地震や台風等で内外障子２ａ，２ｂが浮き上がって枠１から外れるのを防いでいる。外れ止め部品３ａ，３ｂは、風止め板２０の左右両側に隣接して、内外障子２ａ，２ｂの召合せ框１４，１４付近に配置してあり、これにより地震等の際に召合せ框１４，１４の上下動が規制されるので、クレセント１６の破損を防止することができる。
【００１１】
外れ止め部品３ａ，３ｂは、図１，４，９に示すように、ベース６と高さ調整部７を有している。ベース６は、硬質樹脂で形成した長方形の板状の部品であり、図９，１０に示すように、下面に高さ調整部７を収容する略円形の凹部２１が設けてある。凹部２１の周縁部には、図９，１０に示すように、高さ調整部７の上面が当接する当接部２２ａ，２２ｂ，２２ｃ，２２ｄ，２２ｅが階段状に高さを段々に異ならせて設けてあって、同じ高さの高さ調整部２２ａ，２２ｂ，２２ｃ，２２ｄ，２２ｅが凹部２１の中心に対して対角線状に２箇所ずつ設けてある（図１０中、同じ符号を付した高さ調整部２２ａ，２２ｂ，２２ｃ，２２ｄ，２２ｅが同じ高さ）。またベース６には、片方の各当接部２２ａ，２２ｂ，２２ｃ，２２ｄと連続させて、高さ調整部７の外周の一箇所に設けた三角形状の突部２３が嵌まる嵌合部２４が、高さの異なる階段状に複数設けてある。凹部２１の中心には、高さ調整部７をベース６に取付けるためのシャフト２５が取付く取付穴２６が設けてある。
ベース６は、図４，７に示すように、各障子２ａ，２ｂの戸尻側にあたる長手方向の一方側端部の室外側面及び室内側面に、円柱状の突起２７，２７がそれぞれ設けてある。また、各障子２ａ，２ｂの戸先側にあたる長手方向の他方側端部の室外側面及び室内側面に、室内外方向に弾性変形自在な爪２８，２８が設けてある。ベース６は、図１に示すように、これらの突起２７，２７と爪２８，２８を上枠４の外レール５ｂと内レール５ｃの付け根部に形成された溝１９，１９に係止することで、外レール５ｂと内レール５ｃの間の上枠４下面に取付けてある。ベース６は、図４示すように、下方からのネジ２９で上枠４に固定される。
【００１２】
高さ調整部７は、硬質樹脂で形成した略円柱状の部品であり、図９，１１に示すように、上面の外周部にベース６の当接部２２ａ，２２ｂ，２２ｃ，２２ｄ，２２ｅに当接する被当接部３０ａ，３０ｂ，３０ｃ，３０ｄ，３０ｅが、ベース６の当接部２２ａ，２２ｂ，２２ｃ，２２ｄ，２２ｅと同様に階段状に設けてある。高さ調整部７の外周の一箇所には、三角形状の突部２３が設けてある。高さ調整部７は、中心に設けた孔３１に挿通したシャフト２５によりベース６の凹部２１に取付けてある。シャフト２５の周りにはバネ３２が取付けてあり、バネ３２により高さ調整部７は常に上向きに付勢されており、突部２３がベース６に設けた複数の嵌合部２４のうちの一箇所に嵌合することで回転が規制されている。高さ調整部７の下面には、指でつまむためのつまみ３３が設けてある。
【００１３】
図７（ａ）と図８（ａ）は、高さ調整部７を最も上げた状態を示しており、このときベース６の下面と高さ調整部７の下面が面一となり、ベース６の当接部２２ａに高さ調整部７の被当接部３０ａが、当接部２２ｂに被当接部３０ｂが、当接部２２ｃに被当接部３０ｃが、当接部２２ｄに被当接部３０ｄが、当接部２２ｅに被当接部３０ｅが、それぞれ当接している。高さ調整部７を一段下げたいときは、手でつまみ３３を持って高さ調整部７を下に下げ、高さ調整部７の突部２３をベース６の嵌合部２４から抜いてから、図８（ｂ）に示すように、高さ調整部７の突部２３が隣の嵌合部２４に嵌まる位置まで高さ調整部７を垂直軸回りに時計方向に回転させて、手を離す。すると、階段状に設けられたベース６の当接部２２ａ，２２ｂ，２２ｃ，２２ｄ，２２ｅと高さ調整部７の被当接部３０ａ，３０ｂ，３０ｃ，３０ｄ，３０ｅとが、周方向に一つずれた状態で当接（当接部２２ｂに被当接部３０ａが、当接部２２ｃに被当接部３０ｂが、当接部２２ｄに被当接部３０ｃが、当接部２２ｅに被当接部３０ｄが、それぞれ当接）し、これにより高さ調整部７が一段下がり、且つ突部２３が隣の嵌合部２４と嵌合することで、高さ調整部７がその位置で位置決めされる。図８（ｃ）に示すように、高さ調整部７をさらに時計方向に嵌合部２４一つ分回転させると、高さ調整部７がもう一段下がる。図８（ｄ）に示すように、高さ調整部２４をさらに時計方向に嵌合部２４一つ分回転させると、高さ調整部７がさらにもう一段下がる。
【００１４】
このように本外れ止め部品３ａ，３ｂは、高さ調整部７を下に引っ張ることで、ドライバー等の操作具を用いることなく高さ調整部７を垂直軸（シャフト２５）回りに回転させることができ、回転させることで高さ調整部７を４通りの高さに段階的に変えることができ、且つ高さ調整部７の突部２３をベース６に設けた複数の嵌合部２４のうちの一箇所と嵌合することで、その位置で高さ調整部７を位置決めできる。本実施形態のものは、一段下げるごとに高さ調整部が１．５ｍｍずつ下がり、最も下げたときは高さ調整部７がベース６の下面から４．５ｍｍ飛び出すようになっている。内外障子２ａ，２ｂの高さは、枠１にけんどんで建て込んだ後、戸車の高さ調整に伴って変化するが、本外れ止め部品３ａ，３ｂは上記のように高さ調整部７の高さを段階的に細かく調整することができ、高さ調整部７の下面を障子２ａ，２ｂの上端に正確に近接させることで、障子２ａ，２ｂの浮き上がりを確実に規制することができる。
【００１５】
次に、外れ止め部品３ａ，３ｂの上枠４への取付け手順を説明する。内障子２ｂ側の外れ止め部品３ｂを取付ける際には、図１２−１（ａ）に示すように、内障子２ｂを全開位置までスライドさせ、外れ止め部品３ｂをベース６の突起２７，２７側を上に且つベース６の幅方向が左右方向と平行になる向きで持ち、上枠４の外レール５ｂと内レール５ｃの間に外れ止め部品３ｂの上部を挿入する。次に、図１２−１（ｂ）に示すように、外れ止め部品３ｂを垂直軸回りに９０°回転させる。これにより、ベース６の突起２７，２７が外レール５ｂと内レール５ｃの付け根部に形成された溝１９，１９に係止する。次に、図１２−２（ｃ）に示すように、突起２７，２７による係止部を支点として、外れ止め部品３ｂを見込み方向の軸回りに上向きに９０°回転させる。これにより、ベース６の爪２８，２８が外レール５ｂと内レール５ｃの付け根部に形成された溝１９，１９に係止し、外れ止め部品３ｂは上枠４の長手方向にスライド可能な状態で外レール５ｂと内レール５ｃの間の上枠４下面に保持される。その後、図１２−２（ｄ）に示すように、外れ止め部品３ｂを風止め板２０に隣接する所定の位置までスライドし、ネジ２９で上枠４に固定する。取付完了時には、高さ調整部７が下方に向く状態になる。そして内障子２ｂを閉めると、外れ止め部品３ｂは内障子２ｂの上にくる位置で固定されていることになる。外障子２ａ側の外れ止め部品３ａの取付けは、外障子２ａを全開位置までスライドさせて同じように行うことができる。
【００１６】
以上に述べたように本建具は、外れ止め部品３ａ，３ｂが、障子２ａ，２ｂを枠１に建て込んだ状態で上枠４の垂下片５ｂ，５ｃ間に取付け自在であると共に、上枠４の長手方向にスライド自在であり、障子２ａ，２ｂの上にくる位置で固定するようにしたので、外れ止め部品３ａ，３ｂの後付けが容易である。外れ止め部品３ａ，３ｂを内障子２ｂ側にも設けることで、内障子２ｂの浮き上がりも防止でき、地震の際のクレセント１６の破損を防止できる。
外れ止め部品３ａ，３ｂは、長手方向の一方側（突起２７側）を上枠４の一対の垂下片５ｂ，５ｃ間に係止し、他方側（爪２８側）を上枠４の一対の垂下片５ｂ，５ｃ間に弾発的に係止して取付けるようにしたので、外れ止め部品３ａ，３ｂを上枠の一対の垂下片５ｂ，５ｃ間に差し入れ、垂直方向の軸と見込方向の軸回りに順次回転させるだけで、簡単に取付けできる。
外れ止め部品３ａ，３ｂを、内外障子２ａ，２ｂの召合せ部に近い位置に設けたことで、クレセント１６の破損を防止する効果が高められる。
内障子２ｂを全開位置までスライドすると、図５に示すように、内障子２ｂは内障子側の外れ止め部品３ｂの高さ調整部７の下から外れるが、外障子側の外れ止め部品３ａの高さ調整部７により内外両方の障子２ａ，２ｂの浮き上がりを規制できる。また、外障子２ａを全開位置までスライドすると、図６に示すように、外障子２ａは外障子側の外れ止め部品３ａの高さ調整部７の下から外れるが、内障子側の外れ止め部品３ｂの高さ調整部７により内外両方の障子２ａ，２ｂの浮き上がりを規制できる。すなわち本建具は、外障子２ａと内障子２ｂがどの位置にあっても浮き上がりを規制することができ、安全性と防犯性を向上することができる。
【００１７】
また本建具は、外れ止め部品３ａ，３ｂが上枠４下面に取付けてあって、ベース６と高さ調整部７を有し、高さ調整部７は、操作具を用いることなく垂直軸（シャフト２５）回りに回転させることができるものであり、回転させることで上下に移動し、その位置で位置決めできるので、外れ止め部品３ａ，３ｂの調整が容易に行え、高さ調整部７を障子２ａ，２ｂに当接ないし近接させることで、障子２ａ，２ｂの浮き上がりを確実に防止できる。
高さ調整部７は、下に引っ張ると回転可能となるため、高さ調整部７の高さ調整が一層容易に行える。
高さ調整部７は、上向きに付勢されてベース６と嵌合して回転が規制され、下に引っ張るとベース６の嵌合部２４から外れて回転可能となるものとすることができ、これにより高さ調整部７の高さ調整が素早く行え、且つ各高さ位置で正確に位置決めできる。
ベース６は、高さの異なる嵌合部２４が周方向に複数設けてあり、高さ調整部７の嵌合位置を変えることで高さ調整部７の高さが変わるため、高さ調整部７の高さを段階的に変化させることができ、嵌合部２４の数を増やすことで高さ調整部７の高さを何段階にでも変化させられる。
またベース６は、高さ調整部７の上面が当接する当接部２２ａ，２２ｂ，２２ｃ，２２ｄ，２２ｅが、高さ調整部７の垂直軸回りに設けてあるので、地震等の衝撃で高さ調整部７が障子２ａ，２ｂにより突き上げられても、高さ調整部７の高さが変わることがなく、障子２ａ，２ｂの浮き上がりと外れを確実に規制できる。
外れ止め部品３ａ，３ｂは、ベース６に高さ調整部７の上面が当接する当接部２２ａ，２２ｂ，２２ｃ，２２ｄ，２２ｅを垂直軸回りに階段状に複数設け、高さ調整部７を垂直軸回りに回転させることで、高さ調整部７の高さを３段階以上（実施形態のものは４段階）に段階的に変化させられるので、高さ調整部７を障子２ａ，２ｂの高さに合わせて正確に調整し、障子２ａ，２ｂの浮き上がりをより確実に規制できる。
【００１８】
本発明は以上に述べた実施形態に限定されない。外れ止め部品の形状や材質、取付け方は、適宜変更することができる。高さ調整部の高さを可変とするための機構は、種々の機構を用いることができるが、例えばベースと高さ調整部とが雄ネジと雌ネジで結合し、高さ調整部を垂直軸回りに回転させるとネジの作用で上下に移動するものとすることもできる。外れ止め部品を上枠の網戸レールと外レールの間に設けることで、網戸の浮き上がり・外れを防止することもできる。本発明の建具は、上下枠に沿って摺動する障子を備えるものであればよく、引違い窓に限らず、片引き窓等に適用することもできる。
【符号の説明】
【００１９】
１  枠
２ａ  外障子（障子）
２ｂ  内障子（障子）
３ａ，３ｂ  外れ止め部品
４  上枠
５ａ  網戸レール（垂下片）
５ｂ  外レール（垂下片）
５ｃ  内レール（垂下片）
６  ベース
７  高さ調整部
【図１】
2019157338.tif 000003
【図２】
2019157338.tif 000004
【図３】
2019157338.tif 000005
【図４】
2019157338.tif 000006
【図５】
2019157338.tif 000007
【図６】
2019157338.tif 000008
【図７】
2019157338.tif 000009
【図８】
2019157338.tif 000010
【図９】
2019157338.tif 000011
【図１０】
2019157338.tif 000012
【図１１】
2019157338.tif 000013
【図１２−１】
2019157338.tif 000014
【図１２−２】
2019157338.tif 000015